(57)【要約】【課題】油脂分の拭取り作業が簡単なレンジフードおよびその構成部材を提供する。【解決手段】水分が、親水性のフィルムからなる表面層１００と、枯渇している油脂分との境界面に水膜を形成して油脂分を浮かし、その油脂分を剥がし落とす。【選択図】図１
2020143893.tif 000002
【特許請求の範囲】
【請求項１】
レンジフード、換気扇、およびそれらを構成する部材の表面の全部または一部に水接触角３０°以下の親水性フィルムが積層されたレンジフードまたは換気扇。
【請求項２】
積層されたフィルムの水接触角が１０°以下である請求項１に記載のレンジフードまたは換気扇。
【請求項３】
積層された親水性フィルムの鉛筆硬度がＨＢ以上である請求項１または２に記載のレンジフードまたは換気扇。
【発明の詳細な説明】
【技術分野】
【０００１】  本発明は、清掃性が大幅に向上するレンジフード、換気扇、およびそれらを構成部材に関するものである。
【背景技術】
【０００２】  レンジフードには、ファン、前板、フード体から立設する幕板、グリスフィルタ、グリスフィルタを抜き差し可能に係止する仕切板、ファンケーシング、ファン等様々な部材等で構成されている。この構成部材の種類は、例えばファンが多翼ファン、プロペラファンによっても千差万別である。【０００３】  レンジフードは、加熱調理器具の上方に設置されて調理によって発生した燃焼ガスや油煙を効率良く吸込み屋外に排出するものの、気体の流路途中にグリスフィルタを設置して油煙中の油脂分を積極的に捕獲することで、接続される排気ダクト内等への油脂分の付着を最小限に抑制している。その反面、グリスフィルタ等には多量の油脂分が付着するので使用者は頻繁にグリスフィルタ等を清掃する必要が生じる。無論、長期間使用すると、ファン、ファンケーシング等は元よりフード体内面にも油脂分が付着し、長期に渡り付着したままの油脂分は、燃焼ガスで酸化が促進されて粘度を増し、粘度が増した油脂分の清掃は非常に困難となる。台所等に設置される換気扇においても、プロペラファン、そのプロペラファン回りの化粧枠、ファンの前方にグリスフィルタを有する場合にはグリスフィルタ、支持枠等の構成部材に油脂分が付着し、レンジフードファンと同様に燃焼ガスで酸化が促進されて粘度を増し、粘度が増した油脂分の清掃が同様に困難となる。そのため、従来では構成部材に、撥水・撥油性の塗膜を施膜している。この結果、多量に付着した油脂分は撥油効果で水玉状になり自然に下方に流れるようになるから、オイルパック等を用いて回収することが可能である。しかし、撥油効果は多量な油脂分が付着した場合には有効であるものの、小さな粒状に付着したものは流れ難く、付着した時点で残留し、長期間の放置で油脂分が酸化して前記のように粘度を増して固着するので清掃が困難になる。そのため、こまかな拭取り清掃が必要であった。これらの課題を解決する方法として親水性の焼き付け塗料を用いる方法が提案されている（特許文献１）
【先行技術文献】
【特許文献】
【０００４】
【特許文献１】特開２０００−１９９６３７号公報
【発明の概要】
【発明が解決しようとする課題】
【０００５】  上記の方法によれば確かに水を含む雑巾による拭き取り作業によって油脂分の除去性が向上するものの、完全に油脂分を拭き取れる程度まで到達出来ておらず、さらに完全油脂分を拭く取るために繰り返し拭き取り作業を行うと表面が傷ついて商品価値が低下する場合があるなど、まだ満足のいく方法とは言い難かった。【０００６】  本発明は上記の課題に鑑みてなされたもので、その目的とする処は、優れた油脂分の拭取り性と清掃時の傷つき防止性を有するレンジフード、換気扇、およびそれらの構成部材を提供することにある。
【課題を解決するための手段】
【０００７】  本発明者は、耐擦傷性に優れる親水性フィルムをレンジフード、換気扇、およびそれらの構成部材の表面に積層することによって、水をかけたり、水を含んだ雑巾等で抜き取ったりすることで長期間の放置で酸化した油脂分と表層との境界面に水分が入り込み油脂分を浮かせて剥離させるとともに、清掃作業による傷つきを防止することにより長期間にわたって高い製品価値を維持できることを見出し、本発明に到達した。【０００８】  即ち本発明は、レンジフード、換気扇、およびそれらを構成する部材表面の全部または一部に耐擦傷性に優れる親水性フィルムを積層することを要旨とする。親水性のフィルムは、油脂分が付着しても、水を含む雑巾等で拭取ることにより、水分が油脂分を親水フィルム表面易入り込み浮かせて容易に落とすことができる。この油脂分を浮かせて除去する性能は親水性が高い（水接触角が小さい）ほど向上する。またこの拭き取り清掃時の傷つき防止性は表面フィルムの硬度が高いほど向上する傾向にある。【０００９】  ここで構成部材とは、例えば、多翼ファンタイプの場合には、多翼ファン、フード体や前板、幕板を構成する面板、グリスフィルタ、そのグリスフィルタを支承する仕切板、ファンケーシング、モータケース等、例えば、プロペラファンタイプの場合には、プロペラファン、ファン回りの化粧枠、モータケース、グリスフィルタを有する場合には更にグリスフィルタ、その支持枠等が挙げられる。
【発明の効果】
【００１０】  本発明は以上のように親水性フィルムをレンジフード、換気扇、およびそれらの構成部材等の一部または全部に積層した構成であるから、油脂分が付着し枯渇してこびり付いても水で油脂分と表層との間に水膜を形成して油脂分を剥がし落とす。それ故、撥水・撥油性の塗膜のように油脂分の粘度が増す前の拭取り作業を日々の管理で実施しなければならない清掃性の欠点を解決し、目立つ時に濡れ雑巾等で油汚れを清掃すれば良く、清掃管理が頗る簡単なレンジフード、換気扇となる。しかも、耐熱性に優れ、熱気を受けて変色、変質もなく、また油脂分の付着が激しく、しかも油脂分の拭取りが面倒なグリスフィルターにも使用可能である。
【図面の簡単な説明】
【００１１】
【図１】  レンジフードファンの一実施の形態の側面断面図。
【図２】  換気扇の一実施の形態の斜視図でグリスフィルタを有する支持枠を化粧枠とから外した状態を示す。
【発明を実施するための形態】
【００１２】  本発明の実施の形態を図面に基づいて説明する。図１、図２は、レンジフードの一実施の形態を、更に図３は換気扇の一実施の形態を示している。
【００１３】  図１において、符号Ａはレンジフードであり、天板１１、左右側板２１、背板３１からなるフード体１の前方開放部を前板２で着脱可能に被蓋し、天板１１上に幕板３を立設して排気ダクトＤを室内から視認不能に隠し、フード体１内に多翼ファン４を収容したファンユニット５を内蔵し、そのファンユニット５の下方に斜設した仕切板６先端とフード体１の天板１１とに固定されているフィルタ桟７とに亘ってグリスフィルタ８を抜き差し可能に支承した一般形態のブーツ型と呼称されるタイプを示している。
【００１４】  例えば、レンジフードの構成部材であるフード体１および前板２の内外両面に親水フィルムを貼りつけて（積層）表面層１００としたり、幕板３の外面片面に親水性フィルムを貼りつけて（積層）表面層１００として設けたりすることは比較的に容易である。
【００１５】  例えば、多翼ファン等の複雑形状部材への貼りつけは、原材料である鋼板等に親水性フィルムを貼りつけた後に組み立てて部材化する方法が有効である。
その他のレンジフード部材についても公知の方法により親水性フィルムを貼りつけて（積層）表面層１００として設けることができる。
【００１６】  図２において、符号Ｂは換気扇であり、化粧枠９と、プロペラファン１０と、そのプロペラファン１０の前方に配設するグリスフィルタ８と、そのグリスフィルタ８を支承する支持枠８ａとを備え、支持枠８ａは化粧枠９や室壁Ｗに係脱可能に係止されている。
【００１７】  換気扇の構成部材について、例えば、グリスフィルタ８については、無数に穴が空けられた親水フィルムを外側片面または外内両面に貼りつけて（積層）表面層１００として設けることができる。さらに無数に穴が空けられた両面を親水コートされた親水性フィルムそのものをグリスフィルタ８として用いることもできる。
【００１８】  一方、例えば、支持枠８ａについては、その内外両面に親水性フィルムを積層（貼りつけ）して表面層１００として設けたりすることができる。
その他の換気扇部材についても公知の方法により親水性フィルムを貼りつけて（積層）表面層１００として設けることができる。
【００１９】  上記の表面層１００の厚みは任意であり、無論、片面のみよりも内外両面に設けるのが好ましい。
【００２０】  上記表面層１００として用いられる親水性フィルムは、本発明者らが先に提案した方法（ＷＯ２００７／０６４００３号公報、開２００９−０７３９２３号公報、ＷＯ２０１３／０１４７３３号公報、ＷＯ２０１５／０８７８１０号公報、ＷＯ２０１３／０５４８７７号公報、ＷＯ２０１４／１６８１２２号公報、ＷＯ２０１６／０１７６１９号公報など）によって得ることができる。
【００２１】  上記の方法によって得られたフィルムは高い親水性と硬度（耐擦傷性）を有する。親水性（水接触角が小さい）が高いほどは油脂分を浮かせて除去する清掃性を向上させることができる。通常用いられる当該フィルムの親水性は、水接触角で０〜３０°の範囲、好ましくは０〜２０℃の範囲、さらに好ましくは０〜１０°の範囲である。
【００２２】  同様に、硬度が高いほど耐擦傷性（清掃等による傷つき防止性）を向上させることができる。通常用いられる当該フィルムの硬度は、鉛筆硬度でＢ〜９Ｈの範囲、好ましくはＨＢ〜９Ｈの範囲、さらに好ましくはＦ〜９Ｈの範囲である。
【００２３】  当該親水性フィルムは親水層の反対面（裏面）に公知の粘着剤または接着剤を用いることにより、レンジフード、換気扇、およびそれらの部材の表面の全部または一部に強固に接着させることができる（積層）。従って拭取り掃除を繰り返してもフィルムは剥離せず、傷つきにくく、耐熱性にも優れているため廃ガスの影響を受けて変質するようなこともない。
【００２４】  尚、本発明は、ブーツ型、平型、アイランド型等の今日公知のタイプの構成部材、換気扇においてもグリスフィルタの有り無し双方のタイプの構成部材、更にはレンジフードファンの場合には多翼ファンを換気源とするタイプばかりでなくプロペラファンを換気源とするタイプの構成部材を包含するものであり、それらの構成部材の片面もしくは内外両面に親水性フィルムを積層（貼りつけ）して表面層として設けること前記実施の形態と同様である。
【実施例】
【００２５】    以下、実施例等により本発明をさらに詳細に説明するが、本発明はこれら実施例にのみに限定されるものではない。【００２６】  本発明の評価は下記のようにして行った。【００２７】  （水接触角の測定）
実施例に於いて水接触角の測定は、協和界面科学の接触角計ＤｒｏｐＭａｓｔｅｒ  Ｍｏｄｅｌ  ＤＭｓ−４０１を使用して行った。
（鉛筆硬度の測定）
実施例に於いて鉛筆硬度の測定は、ＪＩＳ  Ｋ  ５４００  の方法に準じて２００ｇ荷重で測定を行った。
【実施例１】
【００２８】  家に設置された図１のレンジフードにおいて、前方開放部を前板２の内側の一部分に、Ａ４版の粘着剤付きの親水性フィルム（水接触角＜１０°，鉛筆硬度２Ｈ，ＲＩＶＥＸ  ＴＮ−２００  リケンテクノス株式会社）を貼りつけて（積層）表面層１００として設け、２か月間のフィールド試験（実暴試験）を行った。試験後、レンジフード前板２（図１参照）の内面を含水雑巾で拭き取る清掃作業を行った。その時の結果を表１に掲載する。【００２９】
【表１】
2020143893.tif 000003
【産業上の利用可能性】
【００３０】  本発明は、優れた油脂分の拭取り性と清掃時の傷つき防止性を有するレンジフード、換気扇、およびそれらの構成部材を提供することにあり、油脂分が付着し枯渇してこびり付いても水で油脂分と表層との間に水膜を形成して油脂分を剥がし落とせるため、撥水・撥油性の塗膜のように油脂分の粘度が増す前の拭取り作業を日々の管理で実施しなければならない清掃性の欠点を解決し、目立つ時に濡れ雑巾等で油汚れを清掃すれば良く、清掃管理が頗る簡単なレンジフード、換気扇となり、更には、耐熱性に優れ、熱気を受けて変色、変質もなく、また油脂分の付着が激しく拭取りが面倒なグリスフィルターにも使用可能であり、有用である。
【符号の説明】
【００３１】    Ａ：レンジフードファン
Ｂ：換気扇
１００：表面層
Ｔ：構成部材
【図１】
2020143893.tif 000004
【図２】
2020143893.tif 000005
【図３】
2020143893.tif 000006
【手続補正書】
【提出日】令和2年6月4日(2020.6.4)
【手続補正１】
【補正対象書類名】図面
【補正対象項目名】図２
【補正方法】変更
【補正の内容】
【図２】
2020143893.tif 000007
【手続補正２】
【補正対象書類名】図面
【補正対象項目名】図３
【補正方法】削除
【補正の内容】